(57)【要約】【課題】着脱具が噴射位置の見定めに邪魔にならず、しかも、操作性に優れた医用スプレー装置を提供すること。【解決手段】スプレー本体に着脱具にて嘴管を取り付け、薬液を圧搾空気で噴霧する医用スプレー装置において、着脱具は、円筒ハウジングに係止ボールを遊嵌するボール落し孔を設け、円筒ハウジングの外側に進退動作により係止ボールを内方への押し出す係脱筒体を設け、嘴管は、薬液管と、空気管と、外管と、薬液管と空気管の端部の係合管と、ボール受け凹部とを具備し、前記嵌合孔に嘴管の挿入端部を嵌合したとき、係脱筒体で係止ボールを押し出してボール受け凹部に係合し、係脱筒体による係止ボールの押し出しを解除したとき、嘴管はスプレー本体から押し出される。【選択図】図１
2013106816.tif 000002
【特許請求の範囲】
【請求項１】
スプレー本体の筒状の嘴管連結部に設けた着脱具にて嘴管を着脱自在に取り付け、この嘴管の先端から薬液を圧搾空気で噴霧するようにした医用スプレー装置において、前記着脱具は、前記嘴管連結部と略同形の筒状をなし、内部に嵌合孔を形成した円筒ハウジングと、この円筒ハウジングの先端部付近に外部から嵌合孔まで貫通して設けたボール落し孔と、このボール落し孔に遊嵌した係止ボールと、前記円筒ハウジングの外側に嵌合し、この円筒ハウジングの進退動作により前記係止ボールを内方への押し出す係脱筒体とからなり、前記嘴管は、薬液管と、空気管と、これら薬液管と空気管の外周に進退自在に嵌合した外管と、前記薬液管と空気管の基端部に固着され、前記嘴管連結部に連結される係合管と、前記嵌合孔に挿入される外管の挿入端部に設けられ、前記係止ボールを係脱するボール受け凹部とを具備し、前記嵌合孔に挿入端部を嵌合したとき、係脱筒体で係止ボールを内方に押し出してボール受け凹部に係合し、係脱筒体による係止ボールの押し出しを解除したとき、係止ボールをボール受け凹部との係合を解いて嘴管をスプレー本体から分離するようにしたことを特徴とする医用スプレー装置。
【請求項２】
円筒ハウジングと係脱筒体の間にコイルばねを介在し、このコイルばねにより係脱筒体を付勢してこの係脱筒体で係止ボールを内方に押し出してボール受け凹部に係合し、コイルばねに抗して係脱筒体を移動して係止ボールとボール受け凹部の係合を解いたとき嘴管をスプレー本体から分離するようにしたことを特徴とする請求項１記載の医用スプレー装置。
【請求項３】
円筒ハウジングの嵌合孔内に、押し出しコイルばねにより嵌合孔の開口側に付勢されてボール落し孔を閉鎖して係止ボールの押し出しを遮断するボール受け管と外管の挿入端部に接触するばね受け管を進退自在に設け、外管の挿入端部を嵌合孔に嵌合したとき、前記押し出しコイルばねに抗してボール受け管を押し込んでボール落し孔を開口し、係脱筒体をコイルばねで押し出して係止ボールをボール受け凹部に係合するとともに、係止ボールの外方への突出を阻止するようにしたことを特徴とする請求項１記載の医用スプレー装置。
【請求項４】
着脱具の係脱筒体をコイルばねに抗して引き寄せ、係止ボールの外方への突出を可能としたとき、係止ボールが必要以上に突出するのを防止するため係脱筒体の先端部内側に係合切り欠きを形成し、この係合切り欠きに係止ボールが係合したとき、押し出しコイルばねの反発力により、ボール受け管を押し出して係止ボールをボール受け凹部から脱出させるとともに、ばね受け管を押し出して嘴管をスプレー本体から押し出すようにしたことを特徴とする請求項３記載の医用スプレー装置。
【請求項５】
嵌合孔の内方であって、嘴管連結部の先端部に、薬液チューブを連結するとともに空気孔を形成した支持円板を取り付け、嘴管の係合管の一部を挿入端部から突出して設け、嵌合孔に挿入端部を嵌合したとき、この係合管の突出部を係合管と外管との間に設けた押し込みコイルばねで付勢して薬液チューブと薬液管を密着連結させるようにしたことを特徴とする請求項４記載の医用スプレー装置。
【発明の詳細な説明】
【技術分野】
【０００１】
本発明は、薬液や消毒液などを患部に噴霧するときに使用され、主として、耳、鼻、咽喉に用いられる医用スプレー装置に関するもので、狭い患部への噴射位置を確実に見定めることができ、かつ、患部に接触する嘴管を直接手で触れることなく交換できるようにしたものある。
【背景技術】
【０００２】
従来、この種の医用スプレー装置は、図６に示すように、スプレー本体１０の下端に薬液びん１１を着脱自在に嵌合し、スプレー本体１０の前端に嘴管１８を着脱自在に取り付け、グリップ兼用の薬液びん１１を片手で握り、嘴管１８の先端噴霧口２０を耳、鼻、咽喉などの患部に臨ませ、親指で押釦１３を押す。すると、バルブ１２が開いて、エアチューブ１４から圧搾空気が薬液びん１１と嘴管１８へ送り込まれ、薬液びん１１内の薬液１７が薬液チューブ１６を通って薬液管１９へ送られ、この薬液管１９の先端部では、嘴管１８からの空気によって薬液１７が霧状になって噴霧口２０から患部へ噴霧するものである。
【０００３】
図６に示すような嘴管１８の直線状のものは、耳、鼻などの患部に噴霧する場合に使用され、咽喉の場合には、嘴管１８がやや長く、先端部近くをくの字に折れ曲げたものが使用される。
【０００４】
本出願人は、術者等が嘴管に直接手などを触れることなくスプレー本体に嘴管を装着することができ、使用後にも嘴管に直接手などを触れることなく外すことのできる医用スプレー装置をすでに提案した（特許文献１）。
【０００５】
この医用スプレー装置は、図５に示すようなスプレー本体１０に着脱具３８を取り付けておき、嘴管立て３９の差し込み孔４０に差し込まれている嘴管１８を着脱具３８に上から押しこむと、手を触れずに装着でき、また、着脱具３８の押釦を押すと、嘴管１８が回収容器内に飛び出すものである。
さらに詳しくは、図３及び図４（ａ）（ｂ）において、この医用スプレー装置は、スプレー本体１０の嘴管連結部１５に取り付けた嘴管１８から薬液びん１１の薬液を圧搾空気で噴霧するようにした医用スプレー装置において、前記嘴管１８は、薬液管１９と、この薬液管１９の外周を被覆する空気管４８と、この空気管４８の外周に嵌合し、外側面に係止溝５０を形成した外管４９とを具備し、前記嘴管連結部１５の端部に嘴管１８を連結するための着脱具３８を取り付け、この着脱具３８は、ハウジング４２と、このハウジング４２に設けられ前記外管４９を着脱自在に嵌め込むための貫通孔４３と、この貫通孔４３に前記外管４９を圧入すると前記係止溝５０に係止する係止リング４６と、この係止リング４６の係止状態を解除するための押釦４４とを具備している。
【０００６】
前記空気管４８と外管４９との間に、前記外管４９の係止溝５０に係止リング４６が係止したとき、薬液管１９と空気管４８を嘴管連結部１５側に付勢するコイルばね２９を介在している。
【０００７】
前記着脱具３８における略直方体のハウジング４２の略中央に貫通孔４３を貫通して設け、外管４９の全外周に係止溝５０を形成し、前記ハウジング４２の切り溝５９から２個のＵ字形の係止リング４６を互いに相対する方向から嵌め込み、これらの係止リング４６をそれぞれ逆方向に付勢するばね部４５を有する押釦４４に連結し、この押釦４４で嘴管１８を着脱する。
【０００８】
前記押釦４４にばね部４５を一体に形成し、この押釦４４に係止リング４６を係止部４７で連結している。
前記嘴管１８は、薬液管１９の基端部に、この薬液管１９を貫通し、かつ、差し込み環３０を有し、前記薬液管１９を嘴管連結部１５の薬液チューブ１６に連通する差し込み環３０を連結し、空気管４８の基端部に、前記差し込み環３０と空気管４８の内部を連通する空気溝５５を有し、外管４９の内孔部５７内のコイルばね２９を係止する係合部５４を連結している。
【０００９】
このように構成された医用スプレー装置は、図５に示すように、予め嘴管立て３９の複数の差し込み孔４０にそれぞれ嘴管１８を差し込んでおき、術者等がスプレー本体１０に設けた着脱具３８の貫通孔４３に、差し込んである嘴管１８を圧入するだけで嘴管１８に直接手などを触れることなくスプレー本体１０に装着することができ、使用後には、押釦４４を押して係止リング４６の係止状態を解除するだけで嘴管１８に直接手などを触れることなく嘴管１８を外すことができる。したがって、特に、耳鼻咽喉科の分野における鼻、咽喉の奥部に薬液１７を噴霧する治療における感染症発生を未然に防止できる。
【００１０】
着脱具３８の貫通孔４３に嘴管１８を圧入したとき、嘴管１８とスプレー本体１０の嘴管連結部１５がコイルばね２９で確実に密着し、また、押釦４４で係止リング４６の係止状態を解除するときに手を加えなくてもコイルばね２９で嘴管１８が飛び出してくれる。
【００１１】
着脱具３８の貫通孔４３に嘴管１８を圧入したとき、嘴管１８とスプレー本体１０の嘴管連結部１５が確実に密着し、かつ、空気と薬液１７の通過をより確実に行える、などの作用効果を有する。
【先行技術文献】
【特許文献】
【００１２】
【特許文献１】特開２０１１−１０４１８７号公報。
【発明の概要】
【発明が解決しようとする課題】
【００１３】
本出願人が先に提案した医用スプレー装置は、術者等が手に触れることなく、スプレー本体１０に嘴管１８を装着することができ、使用後には、押釦４４で係止リング４６の係止状態を解除するだけで嘴管１８に直接手などを触れることなく嘴管１８を外すことができ、感染症発生を未然に防止できる、という作用効果を有する。
しかし、嘴管１８を着脱するための着脱具３８がスプレー本体１０や嘴管１８に比較してやや外形が大きいため、術者等が狭い患部への噴射位置を見定めるのに着脱具３８が邪魔になるという若干の問題があった。
また、嘴管１８は、患者毎に交換して熱湯等で消毒し、スプレー本体１０は、１日１回程度熱湯等で消毒することが通常行われており、この交換の作業が頻繁に行われる。しかるに、着脱具３８の押釦４４が１８０度間隔を置いた２個所に固定的に設けられていたため、スプレー本体１０から嘴管１８を外す際に両側から押釦４４を押し込むのに親指と人差し指で挟む方法に限られており、操作性にやや問題があった。
【００１４】
本発明は、このような問題点を解決するために、着脱具が邪魔にならず、しかも、着脱具の操作性に優れたものを提供することを目的としている。
【課題を解決するための手段】
【００１５】
本発明による医用スプレー装置は、スプレー本体の筒状の嘴管連結部に設けた着脱具にて嘴管を着脱自在に取り付け、この嘴管の先端から薬液を圧搾空気で噴霧するようにした医用スプレー装置において、前記着脱具は、前記嘴管連結部と略同形の筒状をなし、内部に嵌合孔を形成した円筒ハウジングと、この円筒ハウジングの先端部付近に外部から嵌合孔まで貫通して設けたボール落し孔と、このボール落し孔に遊嵌した係止ボールと、前記円筒ハウジングの外側に嵌合し、この円筒ハウジングの進退動作により前記係止ボールを内方への押し出す係脱筒体とからなり、前記嘴管は、薬液管と、空気管と、これら薬液管と空気管の外周に進退自在に嵌合した外管と、前記薬液管と空気管の基端部に固着され、前記嘴管連結部に連結される係合管と、前記嵌合孔に挿入される外管の挿入端部に設けられ、前記係止ボールを係脱するボール受け凹部とを具備し、前記嵌合孔に挿入端部を嵌合したとき、係脱筒体で係止ボールを内方に押し出してボール受け凹部に係合し、係脱筒体による係止ボールの押し出しを解除したとき、係止ボールをボール受け凹部との係合を解いて嘴管をスプレー本体から分離するようにしたものである。
【００１６】
円筒ハウジングと係脱筒体の間にコイルばねを介在し、このコイルばねにより係脱筒体を付勢してこの係脱筒体で係止ボールを内方に押し出してボール受け凹部に係合し、コイルばねに抗して係脱筒体を移動して係止ボールとボール受け凹部の係合を解いたとき嘴管をスプレー本体から分離する。
【００１７】
円筒ハウジングの嵌合孔内に、押し出しコイルばねにより嵌合孔の開口側に付勢されてボール落し孔を閉鎖して係止ボールの押し出しを遮断するボール受け管と外管の挿入端部に接触するばね受け管を進退自在に設け、外管の挿入端部を嵌合孔に嵌合したとき、前記押し出しコイルばねに抗してボール受け管を押し込んでボール落し孔を開口し、係脱筒体をコイルばねで押し出して係止ボールをボール受け凹部に係合するとともに、係止ボールの外方への突出を阻止するようにしたものである。
【発明の効果】
【００１８】
請求項１記載の発明によれば、スプレー本体の筒状の嘴管連結部に設けた着脱具にて嘴管を着脱自在に取り付け、この嘴管の先端から薬液を圧搾空気で噴霧するようにした医用スプレー装置において、前記着脱具は、前記嘴管連結部と略同形の筒状をなし、内部に嵌合孔を形成した円筒ハウジングと、この円筒ハウジングの先端部付近に外部から嵌合孔まで貫通して設けたボール落し孔と、このボール落し孔に遊嵌した係止ボールと、前記円筒ハウジングの外側に嵌合し、この円筒ハウジングの進退動作により前記係止ボールを内方への押し出す係脱筒体とからなり、前記嘴管は、薬液管と、空気管と、これら薬液管と空気管の外周に進退自在に嵌合した外管と、前記薬液管と空気管の基端部に固着され、前記嘴管連結部に連結される係合管と、前記嵌合孔に挿入される外管の挿入端部に設けられ、前記係止ボールを係脱するボール受け凹部とを具備し、前記嵌合孔に挿入端部を嵌合したとき、係脱筒体で係止ボールを内方に押し出してボール受け凹部に係合し、係脱筒体による係止ボールの押し出しを解除したとき、係止ボールをボール受け凹部との係合を解いて嘴管をスプレー本体から分離するようにしたので、術者等が嘴管に直接手などを触れることなくスプレー本体に嘴管を装着することができ、使用後にも嘴管に直接手などを触れることなく外すことのできるだけでなく、着脱具がスプレー本体と略同一の円筒形からなるので、術者等が狭い患部への噴射位置を見定めるのに着脱具３８が邪魔になることがなく、正確に処置できる。また、係脱筒体が円筒形であるから、１本の指で円周のどの位置でも嘴管を外す操作ができる。
【００１９】
請求項２記載の発明によれば、円筒ハウジングと係脱筒体の間にコイルばねを介在し、このコイルばねにより係脱筒体を付勢してこの係脱筒体で係止ボールを内方に押し出してボール受け凹部に係合し、コイルばねに抗して係脱筒体を移動して係止ボールとボール受け凹部の係合を解いたとき嘴管をスプレー本体から分離するようにしたので、係止ボールのボール受け凹部への係脱をコイルばねの力で行うことができる。
【００２０】
請求項３記載の発明によれば、円筒ハウジングの嵌合孔内に、押し出しコイルばねにより嵌合孔の開口側に付勢されてボール落し孔を閉鎖して係止ボールの押し出しを遮断するボール受け管と外管の挿入端部に接触するばね受け管を進退自在に設け、外管の挿入端部を嵌合孔に嵌合したとき、前記押し出しコイルばねに抗してボール受け管を押し込んでボール落し孔を開口し、係脱筒体をコイルばねで押し出して係止ボールをボール受け凹部に係合するとともに、係止ボールの外方への突出を阻止するようにしたので、係止ボールがコイルばねで押し出されてボール受け凹部に確実に係止される。
【００２１】
請求項４記載の発明によれば、着脱具の係脱筒体をコイルばねに抗して引き寄せ、係止ボールの外方への突出を可能としたとき、係止ボールが必要以上に突出するのを防止するため係脱筒体の先端部内側に係合切り欠きを形成し、この係合切り欠きに係止ボールが係合したとき、押し出しコイルばねの反発力により、ボール受け管を押し出して係止ボールをボール受け凹部から脱出させるとともに、ばね受け管を押し出して嘴管をスプレー本体から押し出すようにしたので、押し出しコイルばねの反発力により嘴管をスプレー本体から飛び出し、また、係止ボールが係脱筒体の係合切り欠きに係合して突出するのを防止することができる。
【００２２】
請求項５記載の発明によれば、嵌合孔の内方であって、嘴管連結部の先端部に、薬液チューブを連結するとともに空気孔を形成した支持円板を取り付け、嘴管の係合管の一部を挿入端部から突出して設け、嵌合孔に挿入端部を嵌合したとき、この係合管の突出部を係合管と外管との間に設けた押し込みコイルばねで付勢して薬液チューブと薬液管を密着連結させるようにしたので、薬液と圧搾空気が漏れることなく、薬液の患部への噴射を確実に行わせることができる。
【図面の簡単な説明】
【００２３】
【図１】本発明による医用スプレー装置の一実施例を示す断面図である。
【図２】図１におけるスプレー本体と嘴管を分離し、一部切り欠いた正面図である。
【図３】本出願人が先に提案した医用スプレー装置の要部の断面図である。
【図４】（ａ）は、図３のＡ-Ａ線断面図、（ｂ）は、図３のＢ-Ｂ線断面図である。
【図５】着脱具で嘴管を差し込み装着するときの説明図である。
【図６】従来の医用スプレー装置の正面図である。
【発明を実施するための形態】
【００２４】
本発明は、スプレー本体の筒状の嘴管連結部に設けた着脱具にて嘴管を着脱自在に取り付け、この嘴管の先端から薬液を圧搾空気で噴霧するようにした医用スプレー装置において、前記着脱具は、前記嘴管連結部と略同形の筒状をなし、内部に嵌合孔を形成した円筒ハウジングと、この円筒ハウジングの先端部付近に外部から嵌合孔まで貫通して設けたボール落し孔と、このボール落し孔に遊嵌した係止ボールと、前記円筒ハウジングの外側に嵌合し、この円筒ハウジングの進退動作により前記係止ボールを内方への押し出す係脱筒体とからなり、前記嘴管は、薬液管と、空気管と、これら薬液管と空気管の外周に進退自在に嵌合した外管と、前記薬液管と空気管の基端部に固着され、前記嘴管連結部に連結される係合管と、前記嵌合孔に挿入される外管の挿入端部に設けられ、前記係止ボールを係脱するボール受け凹部とを具備し、前記嵌合孔に挿入端部を嵌合したとき、係脱筒体で係止ボールを内方に押し出してボール受け凹部に係合し、係脱筒体による係止ボールの押し出しを解除したとき、係止ボールをボール受け凹部との係合を解いて嘴管をスプレー本体から分離するようにしたことを特徴とする医用スプレー装置である。
【００２５】
円筒ハウジングと係脱筒体の間にコイルばねを介在し、このコイルばねにより係脱筒体を付勢してこの係脱筒体で係止ボールを内方に押し出してボール受け凹部に係合し、コイルばねに抗して係脱筒体を移動して係止ボールとボール受け凹部の係合を解いたとき嘴管をスプレー本体から分離するようにしたことを特徴とする。
【００２６】
円筒ハウジングの嵌合孔内に、押し出しコイルばねにより嵌合孔の開口側に付勢されてボール落し孔を閉鎖して係止ボールの押し出しを遮断するボール受け管と外管の挿入端部に接触するばね受け管を進退自在に設け、外管の挿入端部を嵌合孔に嵌合したとき、前記押し出しコイルばねに抗してボール受け管を押し込んでボール落し孔を開口し、係脱筒体をコイルばねで押し出して係止ボールをボール受け凹部に係合するとともに、係止ボールの外方への突出を阻止するようにしたことを特徴とする。
【００２７】
着脱具の係脱筒体をコイルばねに抗して引き寄せ、係止ボールの外方への突出を可能としたとき、係止ボールが必要以上に突出するのを防止するため係脱筒体の先端部内側に係合切り欠きを形成し、この係合切り欠きに係止ボールが係合したとき、押し出しコイルばねの反発力により、ボール受け管を押し出して係止ボールをボール受け凹部から脱出させるとともに、ばね受け管を押し出して嘴管をスプレー本体から押し出すようにしたことを特徴とする。
【００２８】
嵌合孔の内方であって、嘴管連結部の先端部に、薬液チューブを連結するとともに空気孔を形成した支持円板を取り付け、嘴管の係合管の一部を挿入端部から突出して設け、嵌合孔に挿入端部を嵌合したとき、この係合管の突出部を係合管と外管との間に設けた押し込みコイルばねで付勢して薬液チューブと薬液管を密着連結させるようにしたことを特徴とする。
【実施例１】
【００２９】
以下、本発明の実施例１を図面に基づき説明する。
図１及び図２において、スプレー本体１０の先端には、直接手を触れることなく嘴管１８を交換するための本発明特有の着脱具６０が固定的に取り付けられている。
前記嘴管１８と着脱具６０以外のスプレー本体１０、薬液びん１１、バルブ１２、押釦１３、エアチューブ１４は、図６に示した従来例の構造のものをそのまま利用することができる。
また、図３に示した構成部分と略同一のものは、同一符号を付する。
【００３０】
図１及び図２において、前記スプレー本体１０の先端部の嘴管連結部１５の開口端には、中心に薬液チューブ１６を差し込み固定する差し込み孔３２と、外周の数箇所に空気孔３４を形成した支持円板３７が固定的に取り付けられている。
【００３１】
前記嘴管連結部１５の先端外周部には、前記着脱具６０が固定的に連結される。この着脱具６０を構成する円筒ハウジング６１がねじ部２１とＯリング２２で気密に螺着されている。この円筒ハウジング６１には、中心に嵌合孔６２（図２）が貫通して設けられている。この嵌合孔６２の内壁における嘴管連結部１５の先端部に臨ませて押し出しコイルばね７２が設けられ、この押し出しコイルばね７２によって押し出される方向に付勢されるばね受け管７０、Ｏリング７１、ボール受け管６９が設けられ、このボール受け管６９は、押し出しコイルばね７２で押し出されようとしてもボール受け管６９の外周と円筒ハウジング６１の内周との段差に係合して一定以上突出しないようになっている（図２）。
【００３２】
前記円筒ハウジング６１の先端部に１２０度、９０度など所定間隔で係止ボール６６を収納するボール落し孔６７がテーパーをもって穿接され、このボール落し孔６７の下端は、前記ボール受け管６９が押し出しコイルばね７２で押し出されたとき（図２）、係止ボール６６が落下しない様に保持する。前記円筒ハウジング６１の外周には、係脱筒体６３が摺動可能に嵌合され、この係脱筒体６３の内壁と円筒ハウジング６１の外壁とのそれぞれの段部間に係脱筒体６３を前方へ付勢するコイルばね６４が設けられている。また、係脱筒体６３の先端内側には、係止ボール６６が外方へ飛び出すのを抑えるための係合切り欠き６５が形成され、係脱筒体６３の外周には、滑り止めのローレット（図２）が刻まれている。前記円筒ハウジング６１の先端部外周にはＯリング６８が設けられている。
【００３３】
前記嘴管１８は、中心に細い薬液管１９を有し、この薬液管１９の外周に空気流通隙間をもって空気管４８を固定的に被せ、さらにこの空気管４８の外側に外管４９が進退自在に嵌合される。詳しくは、前記空気管４８の基端部に係合管７９がねじ部７７で螺着され、この係合管７９の先端部と外管４９の内孔部５７の間にＯリング５１、ワッシャ５３及びコイルばね７６を介在し、外管４９の挿入端部７３から係合管７９の一部が突出するように図２の左方向に付勢されている。このとき挿入端部７３が必要以上突出しないように、空気管４８に固着されたストッパ５６が外管４９先端部に密着して停止する。前記係合管７９の突出端には、前記支持円板３７の端部に密着するようにＯリング７８が設けられている。
前記外管４９の外周には、円筒ハウジング６１の嵌合孔６２に着脱自在に嵌合するための突起部７５と係止ボール６６の係合するボール受け凹部７４が構成されている。
【００３４】
次に本発明の作用を説明する。
図２の右側に示される嘴管１８は、予め消毒された状態で複数本を、予め図５に示すように、薬液管１９の差し込み孔４０に差し込んでおく。
また、スプレー本体１０も同様に消毒され、その嘴管連結部１５には、図２の左側に示すように、着脱具６０が予め固定的に取り付けられている。
スプレー本体１０と嘴管１８が分離した状態では、嘴管１８は、押し込みコイルばね７６により薬液管１９、空気管４８及び係合管７９が一体となって付勢され、外管４９とストッパ５６が接し係合管７９が挿入端部７３からやや突出する。
スプレー本体１０側の着脱具６０において、押し出しコイルばね７２によってばね受け管７０、Ｏリング７１、ボール受け管６９が円筒ハウジング６１とボール受け管６９の段差が係止する位置まで押し出されてボール落し孔６７を塞いでいるので、係止ボール６６は移動が規制され、また、係脱筒体６３はコイルばね６４にて押し出されて係合切り欠き６５により係止ボール６６の外方への突出を防いでいる。
【００３５】
この状態で、薬液びん１１をグリップとして握り、着脱具６０における円筒ハウジング６１の嵌合孔６２に嘴管１８の外管４９の挿入端部７３部分を嵌合圧入する。すると、挿入端部７３の先端部がボール受け管６９の内側に挿入され、さらに挿入端部７３の先端部がばね受け管７０の内側の段部に当接するとともに、ボール受け管６９の先端部と突起部７５が当接する。さらにスプレー本体１０を押し出しコイルばね７２に抗して押し込むと、ボール落し孔６７が突起部７５を超えてボール受け凹部７４に至り、係止ボール６６が移動可能となる。係脱筒体６３がコイルばね６４により付勢されて突出するので係合切り欠き６５の内側の斜面で係止ボール６６が押し込まれてボール受け凹部７４に係合し、さらに係脱筒体６３が突出してその内壁面で係止ボール６６の移動を規制する。
このとき係合管７９の先端部が支持円板３７における薬液管差し込み孔３２の他端部に嵌合し、スプレー本体１０の薬液チューブ１６と嘴管１８の薬液管１９が連結される。この状態が図１に示されている。
【００３６】
このようにして、嘴管１８に直接手を触れることなくスプレー本体１０に着脱具６０で装着することができ、その後、患者毎に薬液や消毒液が噴霧されて処置がなされる。
噴霧等の処理の終了後は、薬液びん１１を握ったまま嘴管１８を収容ボックスまで持ち込み、着脱具６０の係脱筒体６３をコイルばね６４に抗して手前に引き、係合切り欠き６５が係止ボール６６の位置にくるまでくると、押し出しコイルばね７２によりばね受け管７０、Ｏリング７１、ボール受け管６９が押し出され、係止ボール６６は外方へ移動してボール受け凹部７４との係合が外れる。すると、押し出しコイルばね７２の力により外管４９が円筒ハウジング６１の嵌合孔６２から突出してその勢いで薬液管１９が支持円板３７から抜け出すとともに、押し込みコイルばね７６の力で外管４９は、ストッパ５６に密着して停止する。このようにして嘴管１８が収容ボックスに収納される。
以下同様にしてスプレー本体１０に嘴管立て３９の新たな嘴管１８と交換して装着する。
【００３７】
前記実施例において、スプレー本体１０と嘴管１８は、熱湯や薬剤による消毒のためにステンレススチールなどの金属とし、Ｏリングは、耐熱性のあるシリコンゴムであることが望ましい。しかし、金属部分でも、耐熱性、耐薬品性などを有する材料であれば、プラスチックなどの他の材料とすることもできる。
【符号の説明】
【００３８】
１０…スプレー本体、１１…薬液びん、１２…バルブ、１３…押釦、１４…エアチューブ、１５…嘴管連結部、１６…薬液チューブ、１７…薬液、１８…嘴管、１９…薬液管、２０…噴霧口、２１…ねじ部、２２…Ｏリング、２９…コイルばね、３０…差し込み環、３１…空気孔、３２…薬液管差し込み孔、３３…薬液チューブ連結部、３４…空気孔、３６…空気取り込み溝、３７…支持円板、３８…着脱具、３９…嘴管立て、４０…差し込み孔、４２…ハウジング、４３…貫通孔、４４…押釦、４５…ばね部、４６…係止リング、４７…係止部、４８…空気管、４９…外管、５０…係止溝、５１…Ｏリング、５２…Ｏリング、５３…ワッシャ、５４…  係合部、５５…空気溝、５６…ストッパ、５７…内孔部、５８…凹部、５９…切り溝、６０…着脱具、６１…円筒ハウジング、６２…嵌合孔、６３…係脱筒体、６４…コイルばね、６５…係合切り欠き、６６…係止ボール、６７…ボール落し孔、６８…Ｏリング、６９…ボール受け管、７０…ばね受け管、７１…Ｏリング、７２…押し出しコイルばね、７３…挿入端部、７４…ボール受け凹部、７５…突起部、７６…押し込みコイルばね、７７…ねじ部、７８…Ｏリング、７９…係合管。
【図１】
2013106816.tif 000003
【図２】
2013106816.tif 000004
【図３】
2013106816.tif 000005
【図４】
2013106816.tif 000006
【図５】
2013106816.tif 000007
【図６】
2013106816.tif 000008